(57)【要約】【課題】部品点数が多く製造が煩雑であり、しかも、良好なクリック感を得ることが困難であった。【解決手段】シート部材１１の裏面には、直線状の可動接片１２ａ、１２ｂ、１２ｃが装着されている。各可動接片１２ａ、１２ｂ、１２ｃは、複数の固定接点１３を一体的に覆い密封する。【選択図】　　図１
2004146266.tif 000002
【特許請求の範囲】
【請求項１】
基板上に配置された複数の固定接点に対応して配置され、前記複数の固定接点を一体的に覆い、且つ前記複数の固定接点それぞれに接触可能な可動接片と、
前記基板に装着され、前記可動接片とともに前記複数の固定接点を密封するシート部材と
を具備することを特徴とするシート状スイッチ装置。
【請求項２】
前記複数の固定接点は直線状に配置され、前記可動接片は、直線状に形成されていることを特徴とする請求項１記載のシート状スイッチ装置。
【請求項３】
前記複数の固定接点は、前記可動接片の長手方向の範囲内において任意の位置に配置されることを特徴とする請求項１記載のシート状スイッチ装置。
【発明の詳細な説明】
【０００１】
【発明の属する技術分野】
本発明は、例えば携帯機器等の電子機器に使用されるシート状スイッチ装置に関する。
【０００２】
【従来の技術】
図４、図５は、例えば携帯電話機に適用されるシート状スイッチ装置を示している。このスイッチ装置において、絶縁性のシート部材１の裏面には、例えばドーム形状とされたタクト板としての複数の可動接片２が接着されている。これら可動接片２が接着されたシート部材１は、図４（ｂ）に示すように、複数の固定接点３が配置された基板４に接着される。この状態において、各可動接片２は対応する固定接片３に接触可能とされる。この後、シート部材１の表面に、各可動接片２に対応して、操作釦５がそれぞれ配置される。このような構成において、操作釦５を押圧することにより、対応する可動接片２が湾曲して固定接片３に接触し、スイッチ状態がオンとなる。
【０００３】
ところで、上記構成の場合、可動接片２は、操作釦５の数、及び固定接点対と同数必要である。このため、部品点数が多くなる。しかも、上記のように、固定接点にそれぞれ対応して可動接片を配置し、さらに、各可動接片に対応して操作釦を配置しなければならないため、製造が煩雑となる。
【０００４】
また、シート部材１を介して可動接片２を操作する際、可動接片２がシート部材１により密封されていると、可動接片２内の空気が圧縮され、操作感覚が重くなる。このため、スイッチをオン状態とするために大きな力を必要とし、良好なクリック感を得ることが困難であった。
【０００５】
そこで、従来は、図６に示すように、シート部材１の一部に空気を流通させる開孔１ａを設け、可動接片２の押圧時に、この開孔１ａより空気を排出することにより、操作性を向上させていた。しかし、このように、シート部材１に開孔１ａを設けた場合、この開孔１ａから可動接片２の裏面側に塵埃が侵入し、接触不良を生じることがあった。
【０００６】
これを改善するため、シート部材１に開口を設けず、シート部材１に形成され、各可動接片を収納部する収納部相互間に空気流通用の溝を設けたり、シート部材と基板との間に空気流通用の溝を有するスペーサを配置したりし、これら溝により、空気を移動させる構成が開発されている（例えば、特許文献１参照）。
【０００７】
しかし、上記のようにシート部材に溝を形成する場合、シート部材を複雑な形状に加工する必要があり、シート部材を加工するために高価な金型を必要とする。また、スペーサを配置する場合、部品点数が増大し、且つ、スイッチ装置の薄型化が困難となっていた。
【０００８】
【特許文献１】
特開２００２−５６７４８号公報
【０００９】
【発明が解決しようとする課題】
上記のように、従来のシート状スイッチ装置は部品点数が多く、しかも、これら部品は微細化されており、固定接点に対して各可動接片を正確に位置合わせをして製造することが煩雑であった。
【００１０】
さらに、クリック感を向上させるためにシート部材に空気流通用の溝を形成する場合、高価な金型を必要とし、また、溝を有するスペーサを用いた場合、部品点数が増加し、薄型化が困難となるという問題を有していた。
【００１１】
本発明は、上記課題を解決するためになされたものであり、その目的とするところは、部品点数を削減して製造を容易化でき、しかも、空気の移動がスムースで、良好なクリック感を得ることが可能なシート状スイッチ装置を提供しようとするものである。
【００１２】
【課題を解決するための手段】
本発明のシート状スイッチ装置は、上記課題を解決するため、基板上に配置された複数の固定接点に対応して配置され、前記複数の固定接点を一体的に覆い、且つ前記複数の固定接点それぞれに接触可能な可動接片と、前記基板に装着され、前記可動接片とともに前記複数の固定接点を密封するシート部材とを具備している。
【００１３】
また、前記複数の固定接点は直線状に配置され、前記可動接片は、直線状に形成されている。
【００１４】
さらに、前記複数の固定接点は、前記可動接片の長手方向の範囲内において任意の位置に配置されている。
【００１５】
【発明の実施の形態】
以下、本発明の実施の形態について図面を参照して説明する。
【００１６】
図１、図２において、絶縁性のシート部材１１の裏面には、例えば直線状のタクト板としての可動接片１２が接着されている。各可動接片１２ａ、１２ｂ、１２ｃは、図１に示すように、直線状に配置された操作部としての複数の操作釦に対応してそれぞれ配置される。例えば可動接片１２ａは、…“＊”“７”“４”“１”…等の操作釦１５に対応して配置され、可動接片１２ｂは、“０”“８”“５”“２”…等の操作釦１５に対応して配置され、可動接片１２ｃは、…“＃”“９”“６”“３”…等の操作釦１５に対応して配置されている。各可動接片１２ａ、１２ｂ、１２ｃは、弾性を有する金属により構成され、図１（ｂ）及び図２に示すように、ほぼ直線状で周縁部に対して中央部が上方へ突出されたほぼドーム形状とされている。このため、可動接片を例えば平板上に伏せて置いた状態において、周縁部が平板上に接し、内部に空間が形成される。
【００１７】
これら可動接片１２ａ、１２ｂ、１２ｃが装着されたシート部材１１は、図１（ｂ）に示すように、基板１４の表面に接着される。基板１４の表面には、複数の固定接点１３が配置されている。これら固定接点１３は、図１（ａ）に示す操作釦１５に対応して配置されている。シート部材１１を基板１４に装着した状態において、可動接片１２ａ、１２ｂ、１２ｃは、対応する複数の固定接点１３を一体的に覆い、各固定接点１３は、対応する可動接片１２ａ、１２ｂ、１２ｃ及びシート部材１１により密封される。この後、シート部材１１の表面に固定接点１３に対応して操作釦１５が配置される。
【００１８】
これら操作釦１５及び固定接点の配置は、１つの可動接片の長さ方向の範囲内において、シート状スイッチ装置を使用するユーザにより任意に設定することが可能である。
【００１９】
また、本実施形態において、操作釦１５は、必ずしも必要なく、例えばシート部材１１の表面に固定接点１３と対応して押圧位置を示す操作部を設け、この操作部を押圧するように構成してもよい。
【００２０】
図３は、上記スイッチ装置の等価回路の一例を示すものであり、１つの可動接片１２ｃに対応した等価回路を示している。可動接片１２ｃの周縁部の一部は、コモン接点１３ａに常時接触されている。可動接片１２ｃの周縁部以外の部分は、複数の固定接点１３から離間されている。すなわち、可動接片１２ｃに対応する各固定接点１３は、可動接片１２ｃの空間内に可動接片から所定間隔離間して収容されている。この状態において、スイッチはオフ状態となっている。
【００２１】
上記構成において、１つの操作釦１５が押圧されると、可動接片１２ｃの操作釦１５に対応する箇所が撓み、固定接点１３に接触される。このようにして、スイッチがオンとされる。また、可動接片１２ｃが撓む際、その箇所の空気が可動接片１２ｃ内を移動する。このため、操作釦１５の操作に応じて可動接片１２ｃは容易に変形できる。したがって、良好なクリック感を得ることができる。操作釦１５に対する押圧力を解除すると、可動接片１２はその弾性力により、図１（ｂ）に示す状態に復帰する。
【００２２】
上記実施形態によれば、複数の操作釦１５及び固定接点１３に対応して１つ可動接片を配置している。このため、部品点数を削減することができる。しかも、従来のように、複数の可動接片を各固定接点にそれぞれ対応して配置する必要がなく、複数の固定接点に対して１つの可動接片を配置すればよいため、製造を容易化することができる。
【００２３】
また、複数の操作釦１５及び固定接点１３に対応した長い可動接片１２を使用し、この可動接片１２及びシート部材１１により複数の固定接点を一体的に密封している。このため、１つの操作釦を操作した際、この操作釦に対応する箇所の空気は可動接片１２内を自由に移動できるため、空気圧縮による操作性の低下はなく、良好なクリック感を得ることができる。したがって、従来のようにシート部材に開口を設ける必要がないため、防塵性を向上することができる。しかも、従来のようにスペーサを用いて溝を設ける必要がないため、部品点数を削減でき、スイッチ自体を薄型化することが可能である。
【００２４】
さらに、操作釦１５及び固定接点の配置は、１つの可動接片の長さ方向の範囲内において、任意に設定可能である。このため、例えば携帯電話器のデザイン変更により、複数の操作部及び固定接点のピッチが変わった場合においても、可動接片の形状を変更する必要がない。したがって、可動接片の製造を容易化できる利点を有している。
【００２５】
尚、上記実施形態は、本発明を携帯電話器に適用する場合について説明した。しかし、本発明はこれに限定されるものではなく、その他の電子機器に適用可能なことは言うまでもない。
【００２６】
その他、本発明は上記実施形態に限定されるものではなく、本発明の要旨を変えない範囲において種々変形実施可能なことは勿論である。
【００２７】
【発明の効果】
以上、詳述したように本発明によれば、部品点数を削減して製造を容易化でき、しかも、空気の移動がスムースで、良好なクリック感を得ることが可能なシート状スイッチ装置を提供できる。
【図面の簡単な説明】
【図１】図１（ａ）は、本発明の一実施形態を示す図、図１（ｂ）は、図１の１ｂ−１ｂ線に沿った断面図。
【図２】図１（ａ）の分解斜視図。
【図３】図１の一部を示す等価回路図。
【図４】図４（ａ）は、従来のシート状スイッチ装置の一例を示す平面図、図４（ｂ）は、図４（ａ）の４ｂ−４ｂ線に沿った断面図。
【図５】図４（ａ）の分解斜視図。
【図６】図４（ａ）の一部を拡大して示す平面図。
【符号の説明】
１１…シート部材、
１２、１２ａ〜１２ｃ…可動接片、
１３…固定接点、
１４…基板、
１５…操作釦。
【図１】
2004146266.tif 000003
【図２】
2004146266.tif 000004
【図３】
2004146266.tif 000005
【図４】
2004146266.tif 000006
【図５】
2004146266.tif 000007
【図６】
2004146266.tif 000008